(57)【要約】【課題】詰め替え作業中に内容物をこぼしにくく、且つ、詰め替え作業を容易化することができる詰め替え用注出キャップを提供する。【解決手段】詰め替え用容器２の口部２ａに装着される装着筒３と、該装着筒３の内側を覆うとともに、本容器２０に設けられたノズル２３を挿入するための収容凹部５が形成された隔壁４とを備え、収容凹部５は、ノズル２３を挿入した際に該ノズル２３の外周面２３ａに沿う側壁６と、該側壁６の内側で、ノズル２３を挿入した際にノズル２３の内側に入り込む突出部１２を有する底壁７とを有し、底壁７は、ノズル２３を挿入した際に該ノズル２３の先端２３ｃが当接する下端部８から上方に向けて傾斜する傾斜部９を有するとともに、側壁６と該底壁７との境界に沿って下端部８から傾斜部９にわたって形成され、ノズル２３の押し込みにより破断して注出開口を形成する薄肉状の弱化部１０を有する。【選択図】図１
2016011151.tif 000002
【特許請求の範囲】
【請求項１】
内容物が充填された詰め替え用容器の口部に装着される装着筒と、該装着筒の内側を覆うとともに、内容物の詰め替えが行われる本容器に設けられたノズルを挿入するための収容凹部が形成された隔壁とを備え、
前記収容凹部は、前記ノズルを挿入した際に該ノズルの外周面に沿う側壁と、該側壁の内側で、前記ノズルを挿入した際に前記ノズルの内側に入り込む突出部を有する底壁とを有し、
前記底壁は、前記ノズルを挿入した際に該ノズルの先端が当接する下端部から上方に向けて傾斜する傾斜部を有するとともに、前記側壁と該底壁との境界に沿って前記下端部から前記傾斜部にわたって形成され、前記ノズルの押し込みにより破断して注出開口を形成する薄肉状の弱化部を有することを特徴とする詰め替え用注出キャップ。
【請求項２】
前記底壁は、前記傾斜部の上端に設けられたヒンジ部を有し、前記弱化部の破断により、該ヒンジ部を支点として揺動可能となる、請求項１に記載の詰め替え用注出キャップ。
【発明の詳細な説明】
【技術分野】
【０００１】
本発明は、内容物が充填された詰め替え用容器から本容器に内容物を詰め替えるために使用される詰め替え用注出キャップに関するものである。
【背景技術】
【０００２】
従来、省資源化の観点から、詰め替え用容器に充填された内容物を本容器に詰め替えることにより、本容器を継続的に繰返して使用することが知られている。このような詰め替え用容器としては、例えば、パウチ容器の口部の先端をハサミや手で切断することにより開封し、詰め替え用容器を傾けながら本容器の口部に注ぐものが知られている。
【０００３】
しかしながら、このような容器では、詰め替え時における本容器と詰め替え用容器の位置が安定せず、内容物がこぼれ易いという問題があった。このような問題を解決するため、本容器の口部と詰め替え用容器の口部を螺着した状態で内容物の詰め替えを行う容器が提案されている（特許文献１参照）。
【先行技術文献】
【特許文献】
【０００４】
【特許文献１】特開２０００−１５９２４９号公報
【発明の概要】
【発明が解決しようとする課題】
【０００５】
特許文献１に記載の詰め替え用容器は、口部に装着されたキャップのプルトップを引き上げて詰め替え用容器の注出口を開封し、正立姿勢（口部が上向きの姿勢）とした詰め替え用容器の蓋体に倒立姿勢（口部が下向きの姿勢）の本容器の口部を螺着する。その後、詰め替え用容器と本容器とを反転させて、本容器を正立姿勢にすると共に詰め替え用容器を倒立姿勢にすることによって、内容物の詰め替えを行う。
【０００６】
このような詰め替え用容器では、詰め替え用容器の注出口を開封した後、蓋体に本容器の口部を螺着し、その後、詰め替え用容器と本容器を上下反転させる必要があるので、詰め替え作業が煩雑である。また、詰め替え用容器の注出口を開封した後に本容器の口部を詰め替え用容器の蓋体に螺着するため、開封作業時や螺着作業時に誤って詰め替え用容器を倒すと、詰め替え用容器内の内容物がこぼれ出るおそれがある。
【０００７】
本発明は、このような問題点を解決することを課題とするものであり、詰め替え作業中に内容物をこぼしにくく、且つ、詰め替え作業を容易化することができる詰め替え用注出キャップを提供することを目的とする。
【課題を解決するための手段】
【０００８】
上記課題を解決するため、本発明に係る詰め替え用注出キャップは、内容物が充填された詰め替え用容器の口部に装着される装着筒と、該装着筒の内側を覆うとともに、内容物の詰め替えが行われる本容器に設けられたノズルを挿入するための収容凹部が形成された隔壁とを備え、
前記収容凹部は、前記ノズルを挿入した際に該ノズルの外周面に沿う側壁と、該側壁の内側で、前記ノズルを挿入した際に前記ノズルの内側に入り込む突出部を有する底壁とを有し、
前記底壁は、前記ノズルを挿入した際に該ノズルの先端が当接する下端部から上方に向けて傾斜する傾斜部を有するとともに、前記側壁と該底壁との境界に沿って前記下端部から前記傾斜部にわたって形成され、前記ノズルの押し込みにより破断して注出開口を形成する薄肉状の弱化部を有することを特徴とする。
【０００９】
また本発明に係る詰め替え用注出キャップは、前記底壁は、前記傾斜部の上端に設けられたヒンジ部を有し、前記弱化部の破断により、該ヒンジ部を支点として揺動可能となることが好ましい。
【発明の効果】
【００１０】
本発明によれば、詰め替え作業中に内容物をこぼしにくく、且つ、詰め替え作業を容易化することができる詰め替え用注出キャップを提供することが可能となる。
【図面の簡単な説明】
【００１１】
【図１】（ａ）は、本発明の一実施形態に係る詰め替え用注出キャップの平面図であり、（ｂ）は、図１（ａ）に示す詰め替え用注出キャップのＡ−Ａ断面図である。
【図２】図１の詰め替え用注出キャップを装着した詰め替え用容器から、本容器への内容物の詰め替えの様子を示す断面図である。
【図３】図１の詰め替え用注出キャップの底面図である。
【発明を実施するための形態】
【００１２】
以下、図面を参照しつつ、本発明をより具体的に説明する。図１（ａ）は、本発明の一実施形態に係る詰め替え用注出キャップ（詰め替えキャップ）１の平面図であり、（ｂ）は、図１（ａ）に示す詰め替えキャップ１の中心軸線ｃを通る平面で切断した、Ａ−Ａ断面図である。本実施形態の詰め替えキャップ１は、例えば、洗剤、柔軟剤、漂白剤、入浴剤、食品、化粧品、薬品等の内容物が充填された詰め替え用容器２の口部２ａに装着される。
【００１３】
本実施形態の詰め替えキャップ１は、詰め替え用容器２の口部２ａに外側から嵌合する装着筒３と、当該装着筒３の内側を覆う隔壁４とを備える。装着筒３の下端部内面には、口部２ａの外面に形成された環状凹部に嵌合する嵌合凸部３ａが設けられており、装着筒３の下端部外面には、外側に突出するフランジ部３ｂが設けられている。フランジ部３ｂの上面には、放射状に延びる空気置換溝３ｃが、環状のフランジ部３ｂの周方向４か所に形成されている。
【００１４】
隔壁４は、装着筒３の上端から内側に延び、詰め替えキャップ１の中心軸線ｃに対して垂直な水平部４ａを有する。また、隔壁４には、内容物の詰め替えが行われる本容器２０に設けられたノズル２３を挿入するための収容凹部５が形成されている。また、隔壁４における水平部４ａの下面には、口部２ａの上端部内面に当接する環状リブ４ｂが設けられている。
【００１５】
収容凹部５は、水平部４ａから下方に延びる側壁６と、当該側壁６の下端から内側に延びる底壁７とで構成される。底壁７は、その下端部８から上方に向けて傾斜する傾斜部９を有する。また、底壁７には、側壁６と底壁７の境界に沿って、薄肉状の弱化部１０が形成されている。弱化部１０は、下端部８から傾斜部９にわたって、図１（ａ）に示すように平面視でＵ字状に延び、その両端は、傾斜部９の上端に形成された平面視直線状のヒンジ部１１の両端にそれぞれ連結している。すなわち、図１（ａ）に示すように、底壁７は、弱化部１０とヒンジ部１１によって囲まれている。なお、ヒンジ部１１は、水平部４ａに比べて薄肉状に形成されているものの、ノズル２３の押し込みによって破断しないよう弱化部１０よりは厚肉に形成されている。
【００１６】
底壁７の傾斜部９には、上方に向けて突出する突出部１２が、側壁６の内側に所定の間隔を開けて設けられている。ここで、側壁６の内面６ａは、本容器２０に設けられたノズル２３の外周面２３ａに沿うように平面視円弧状に形成されており、側壁６の内面６ａに対向する突出部１２の外側面１２ａは、ノズル２３の内周面２３ｂに沿うように、平面視円弧状に形成されている。
【００１７】
図２は、本実施形態の詰め替えキャップ１を装着した詰め替え用容器２から、本容器２０への内容物の詰め替えの様子を示している。本容器２０は、内容物を使い切った際に、詰め替え用容器２に充填された内容物を詰め替えることで、継続的に繰返して使用されるものである。本容器２０は、口部２０ａに装着された本容器キャップ２１を備える。本容器キャップ２１は、口部２０ａの上端を内外側から嵌合保持する嵌合筒部２２と、嵌合筒部２２の内側下端部から立設する先細り状のノズル２３とを有する。
【００１８】
内容物の詰め替えを行う際には、正立姿勢とした本容器２０に設けられたノズル２３を、倒立姿勢とした詰め替え用容器２の、詰め替えキャップ１に形成された収容凹部５に挿入するように、上方から詰め替え用容器２を下降させる。図２に実線で示された詰め替えキャップ１は、収容凹部５に挿入されたノズル２３の先端２３ｃが、側壁６と突出部１２の間に入り込み、底壁７の下端部８に当接した状態を示している。ノズル２３を収容凹部５に挿入する過程で、ノズル２３の先端２３ｃが底壁７の傾斜部９に当接すると、ノズル２３の先端２３ｃは、傾斜部９の上面を滑るように下端部８に向けて誘導される。
【００１９】
ノズル２３の先端２３ｃが、下端部８に当接した状態において、ノズル２３は、その外周面に沿う側壁６の内面６ａと、その内側に入り込む突出部１２の外側面１２ａとによって挟み込まれることにより、位置決めされる。この状態から、さらにノズル２３を押し込む（本容器２０に向けて詰め替え用容器２を押し下げる）ことで、弱化部１０が破断して詰め替え用容器２が開封され、内容物が詰め替え用容器２から本容器２０の内部に注出される。
【００２０】
図２に破線で示すように、弱化部１０を破断させた後は、底壁７が、ヒンジ部１１を支点として詰め替え用容器２の内側に向けて揺動し、これにより形成される注出開口にノズル２３が入り込む。また、ノズル２３の外周面２３ａは、注出開口の内縁に当接する。このとき、図示のように、装着筒３を、本容器キャップ２１の嵌合筒部２２の内側に挿入して、フランジ部３ｂを、本容器キャップ２１の嵌合筒部２２の上端に載置する。その際、フランジ部３ｂに形成された空気置換溝３ｃの働きにより本容器キャップ２１の内側の空間は外部と空気連通するため、詰め替え用容器２から本容器２０への内容物の移動は滑らかに行われる。
【００２１】
なお、内容物を詰め替える方法としては、正立姿勢とした詰め替え用容器２に対して、上方から、倒立姿勢とした本容器２０を下降させて、ノズル２３を収容凹部５に挿入させて弱化部１０を破断させたあとで、詰め替え用容器２と本容器２０とを共に上下反転させて、詰め替え用容器２の内容物を本容器２０に移動させることも可能である。
【００２２】
図３は、詰め替えキャップ１の底面図である。隔壁４の下面には、水平面４ｃと、傾斜面４ｄとが形成されている。詰め替え用容器２を倒立姿勢として詰め替え作業を行う際に、内容物が注出開口に向けて流れるように、傾斜面４ｄは、最も低い面である水平面４ｃに向けて、図３の矢印Ｂに示すように下方に傾斜している。このような構成とすることにより、内容物の詰め替えの際に、詰め替え容器２に残ることを抑制することができる。
【００２３】
上記のような本実施形態の詰め替えキャップ１にあっては、下端部８に向かって傾斜する傾斜部９を設けたことにより、ノズル２３の先端２３ｃを下端部８に誘導することができるので、詰め替えキャップ１に対するノズル２３の位置決めを容易に行うことができる。また、側壁６の内面６ａと突出部１２の外側面１２ａとで、ノズル２３の先端２３ｃを挟み込むようにしたことで、ノズル２３を位置決めし、ずれ難くすることができる。これにより、内容物を詰め替え作業が安定し、容易化される。また、詰め替え時に、ノズル２３の先端２３ｃを位置決めしてずれ難くすることで、弱化部１０に力を伝えやすくなるため、容易に弱化部１０を破断させることができる。また、弱化部１０を傾斜部９に形成したことにより、弱化部１０を水平面に形成した場合に比べて、弱化部１０が破断し易くなり、開封が容易となる。
【００２４】
また、本実施形態の詰め替えキャップ１にあっては、正立姿勢とした本容器２０に対して、倒立姿勢とした詰め替え用容器２を上方から押し下げる作業のみで、開封と同時に内容物の詰め替えが開始されるため、詰め替え用容器２を開封した状態で行う作業が不要となり、内容物がこぼれる虞を低減することができる。また、予め栓部材を取り除く作業や、詰め替え用容器と本容器とを螺着する等の作業が不要となるので、詰め替え作業が容易となるとともに、作業時間を短縮することができる。
【００２５】
さらに、本実施形態の詰め替えキャップ１にあっては、隔壁４に形成した収容凹部５に、ノズル２３を挿入する構成としたので、隔壁４の上方に、ノズル２３を収容するための筒状部材等の構成を設ける場合に比べて、詰め替えキャップ１の高さを抑えることができ、詰め替えキャップ１、及び、詰め替えキャップ１を装着した詰め替え用容器２の保管、運搬を効率的に行うことが可能となり、当該コストを削減することができる。
【００２６】
また、本実施形態の詰め替えキャップ１にあっては、弱化部１０の破断により開封した後も底壁７が完全に切断されないので、廃棄の際に底壁７が内容物とともに本容器２０に混入したり、紛失したりすることがない。また、注出開口を形成する底壁７を、詰め替えキャップ１の隔壁４に一体に成形しているので、別体として成形した栓部材を用いて注出開口を塞ぐ場合と比べて、部品数を削減することができる。
【００２７】
本実施形態の詰め替えキャップ１にあっては、弱化部１０の破断により形成される、底壁７の形状に対応した注出開口は、その内縁が、ノズル２３の外周面２３ａに沿う形状とされることが好ましく、このような構成とすることで、注出開口の内縁でノズル２３の外周面２３ａに当接させて、内容物の詰め替えをより安定した状態で行うとともに、よりこぼれ難くすることが可能となる。
【００２８】
以上、図示例に基づき説明したが、本発明は上述の実施形態に限定されるものでなく、特許請求の範囲の記載範囲内で適宜変更することができるものであり、例えば、詰め替えキャップ１の装着筒３を、詰め替え用容器２の口部２ａに対してねじ係合により装着される構成としても良い。
【符号の説明】
【００２９】
１  詰め替え用注出キャップ（詰め替えキャップ）
２  詰め替え用容器
３  装着筒
４  隔壁
４ａ  水平部
５  収容凹部
６  側壁
７  底壁
８  下端部
９  傾斜部
１０  弱化部
１１  ヒンジ部
１２  突出部
２０  本容器
２１  本容器キャップ
２２  嵌合筒部
２３  ノズル
【図１】
2016011151.tif 000003
【図２】
2016011151.tif 000004
【図３】
2016011151.tif 000005